(57)【特許請求の範囲】
【請求項１】
電動ケーシングの両端にサイレンサーを備えてなるとともに吊下げ用アタッチメントを備えたトンネル内用換気ファンであって、前記電動ケーシングとサイレンサーとは分離可能であって、それらの分割面には互いを固定させるための固定用ボルトを挿通させるボルト孔が穿設されたフランジ部が突設されており、且つ前記アタッチメントは、トンネル壁面への取付金具を連結するための突出部が形成された中空の鍔状で前記電動ケーシングとサイレンサーのフランジ部に穿設された固定孔と連通可能な位置に前記固定用ボルトが挿通する固定孔が穿孔され、前記電動ケーシングとサイレンサーとの分割面に前記鍔状のアタッチメントをそれぞれの固定孔が連通するように位置させてそれらの固定孔に固定用ボルトを挿通して締め付けることで固定させ、前記電動ケーシングとサイレンサーとを前記分割面で前記アタッチメントを交換可能に固定したことを特徴とするトンネル内用換気ファン。
【発明の詳細な説明】
【０００１】
【発明の属する技術分野】
本発明は、自動車等が走行するトンネル内に吊設される換気ファンに関するものである。
【０００２】
【従来技術】
従来より、自動車等が走行するトンネル内には、トンネル内の空気を換気する目的で円筒形状のジェットファンやブースターファンなどの換気ファンが吊設されている。
【０００３】
通常、換気ファンの一般的な吊り下げ方法としては、図５に示すように、トンネル壁面６０に取付金具６１をコンクリートアンカなどにより固定し、換気ファン５０のケーシング５１と一体に形成されたフランジ部５２にアイボルトやＵボルトの連結金具５３を取り付け、前記取付金具６１との取り合い部となるフランジ部５２の連結金具５３と取付金具６１とをターンバックル５４で結んで換気ファン５０をトンネル壁面６０との距離を調節可能に吊設するものが良く知られている。
【０００４】
また、トンネル内での換気ファン５０の取付け位置や、換気ファン５０の数も、換気ファン５０を設置するトンネル断面形状や交通量外の環境によって一様ではないことから、換気ファン５０は、上記一般的な吊り下げ方法の外に、様々な構成の特殊な吊り下げ方法により吊設されている。
【０００５】
図６は、特殊な吊設方法の一例を示すものであり、トンネルの中央部寄り壁面６０に設けた第一の取付金具６１ａに偏心取付部材５５が揺動可能に垂設されており、換気ファン５０は、前記偏心取付部材５５に換気ファン５０の胴部ケーシングと一体に形成されたフランジ部５２が固定されており、トンネルの肩部寄りに設けた第二の取付金具６１ｂと前記偏心取付部材５５の下方を結ぶ第一のターンバックル５６によってトンネル中央部寄りに突っ張られ、中央車線をまたいた状態に吊設されている。
【０００６】
この換気ファン５０は、内部点検や整備作業を行うときは、図６（ｂ）示すように、前記第二の取付金具６１ｂよりも更に下方に設けた第三の取付金具６１ｃと前記偏心取付部材５５の更に下方を第二のターンバックル５７で結ぶと共に、第一のターンバックル５６を取り外し、図６（ｃ）示すように、第二のターンバックル５７を縮めて換気ファン５０を片側車線内のトンネル天壁に引き上げることを可能としたものである。この特殊な吊設方法としたことにより、前面的な交通規制をすることなく片側車線を使って作業ができるようになっている。
【０００７】
これら、従来の何れの換気ファンも、取付金具との取り合い部となるケーシングのフランジ部５２を吊り下げ方法に適合した形状に形成してあり、換気ファンのケーシング自体を加工して多様な取付け方法に対応している。
【０００８】
【発明が解決しようとする課題】
しかしながら、トンネル内用の換気ファン５０は、トンネル施工の進捗に伴い、一般的な吊り下げ方法で吊設しておいた既設の換気ファンを転用して特殊な吊り下げ方法で吊設したり、逆に特殊な吊り下げ方法で吊設しておいた既設の換気ファンを転用して一般的な吊り下げ方法で吊設しなければならないことがある。このような場合、吊り下げ方法の異なる換気ファンを吊り下げ方法を変えて転用しようとすると、吊設用の金具との換気ファンの取り合い部を切断．溶接などの手段で大幅に改造しなければならず、吊設方法を変えて既設の換気ファンを転設するには、その改造の為に時間がかかり、費用が嵩むという欠点があった。
【０００９】
本発明は上記の問題に鑑みてなされたもので、吊設方法の異なる換気ファン間の相互転用を簡単にできるようにすることにある。
【００１０】
【課題を解決するための手段】
本発明は、電動ケーシングの両端にサイレンサーを備えてなるとともに吊下げ用アタッチメントを備えたトンネル内用換気ファンであって、前記電動ケーシングとサイレンサーとは分離可能であって、それらの分割面には互いを固定させるための固定用ボルトを挿通させるボルト孔が穿設されたフランジ部が突設されており、且つ前記アタッチメントは、トンネル壁面への取付金具を連結するための突出部が形成された中空の鍔状で前記電動ケーシングとサイレンサーのフランジ部に穿設された固定孔と連通可能な位置に前記固定用ボルトが挿通する固定孔が穿孔され、前記電動ケーシングとサイレンサーとの分割面に前記鍔状のアタッチメントをそれぞれの固定孔が連通するように位置させてそれらの固定孔に固定用ボルトを挿通して締め付けることで固定させ、前記電動ケーシングとサイレンサーとを前記分割面で前記アタッチメントを交換可能に固定した構成とし、既設の換気ファンを吊設方法を変えて転用するときは、電動ケーシングとサイレンサーとの分割面から既設の吊下げ用アタッチメントを取り外し、吊設方法の異なる吊下げ用アタッチメントと交換して既設の換気ファンの吊設方法を簡単に変えられるようにした。
【００１１】
【発明の実施の形態】
以下、本発明の好適な実施の形態を添付図面を参照しながら詳細に説明する。
【００１２】
図１乃至図２は、本発明のトンネル内用換気ファンのターンバックルによる一般的な吊り下げ方法による形態を示しており、電動装置を内装した円筒状の電動ケーシング１と、前記電動ケーシング１の両端に備えられる円筒状のサイレンサー２、２と、前記電動ケーシング１と前記サイレンサー２、２との分割面に固定される鍔状の吊下げ用アタッチメント１０、１０とを備えて構成されている。
【００１３】
電動ケーシング１とサイレンサー２、２とは分離可能とされており、その分割面には、それぞれフランジ部１ａ、２ａが形成されており、該フランジ部１ａ、２ａには、電動ケーシング１とサイレンサー２、２とを固定する為の固定用ボルト２０が挿通する複数の固定孔が穿設されている。
【００１４】
図示する吊下げ用アタッチメント１０、１０は、ターンバックル２１による一般的な吊り下げ方法として換気ファンを吊設する為のものであり、鍔状のアタッチメント１０の両側には突出部１０ａ、１０ａが形成され、該突出部１０ａ、１０ａの一側面にはＵボルトからなる連結金具１１が取り付けられた支持部１２が直交方向に突設されている。また、アタッチメント１０には、電動ケーシング１とサイレンサー２のフランジ部１ａ、２ａに穿設された固定孔と連通可能な位置に固定用ボルト２０が挿通する固定孔１３が穿孔されている。
【００１５】
この換気ファンを吊設可能に組み立てるは、電動ケーシング１と前記サイレンサー２、２との分割面に吊下げ用アタッチメント１０、１０をそれぞれの固定孔が連通するように位置させ、固定孔１３に固定用ボルト２０を挿通し、ナット２２で締め付けて固定させる。
【００１６】
組み立てられた換気ファンをトンネル内に吊設するには、従来例の一般的な吊り下げ方法として述べたのと同様に、トンネル壁面５に二対の取付金具２３をコンクリートアンカなどにより固定し、この取付金具２３と吊り下げ用アタッチメント１０の連結金具１１をターンバックル２１で結び、換気ファンをトンネル壁面５との距離を調節可能に吊設する。
【００１７】
上記既設の換気ファンを、従来例で述べた特殊な吊設方法に変えて転用する場合には、トンネル壁面５から換気ファンを取り降ろし、この換気ファンから図１乃至図２で示した一般的な吊り下げ方法のアタッチメント１０を取り外し、図３乃至図４に示す特殊な吊り下げ方法のアタッチメント１５と交換する。
【００１８】
この鍔状を呈する特殊な吊り下げ方法のアタッチメント１５は、既述した一般的な吊り下げ方法のアタッチメント１０と同様に、電動ケーシング１とサイレンサー２のフランジ部１ａ、２ａに穿設された固定孔と連通する位置に固定用ボルト２０が挿通する為の固定孔１３が穿孔されている。また、このアタッチメント１５の一側端には、直交方向の固定板部１６が形成されており、該固定板部１６には偏心取付部材２６に固定させる為のボルト２５が挿通する固定孔１６が穿孔されている。
【００１９】
このアタッチメント１５の換気ファンの分割面での固定方法は、既述した一般的な吊り下げ方法のアタッチメント１０の固定方法と同様であるのでその説明は省略する。
【００２０】
アタッチメントの交換が済んだ換気ファンの固定板部１６には、断面Ｌ字形の偏心取付部材２６がボルト２５によって取付けられて、特殊な吊り下げ方法への転用の準備が完了する。
【００２１】
この転用が準備された換気ファンの取付けは、従来例における特殊な吊り下げ方法の換気ファンと同様に、トンネルの中央部寄りの壁面５に設けた第一の取付金具２３ａに偏心取付部材５５を揺動可能に軸着し、偏心取付部材５５と固定板部１６をボルト２５で固定すると共に、トンネルの肩部寄りに設けた第二の取付金具２３ｂと偏心取付部材５５の下方をターンバックル２７で結び、換気ファンをターンバックル２７で突っ張った状態に吊設する。この特殊な吊り下げ方法による換気ファンの作動については従来例と同様であるのでその説明は省略する。
【００２２】
尚、交換可能に用意される吊り下げ用のアタッチメント１０、１５は、図示した形状の物に限るものではなく、交換可能に作業現場に適した多様な吊り下げ方法に対応させた形状とすればよい。
【００２３】
以上のように、既設の換気ファンを吊り下げ方法を変えて転用する場合には、吊り下げ方法に適合したアタッチメントを電動ケーシング１とサイレンサー２、２との分割面で交換すればよく、従来のように、換気ファンにおける電動ケースの取付金具との取り合い部を切断．溶接などの手段で大幅に改造する必要がなくなり、手間や時間が短縮されて経費も節減される。
【００２４】
【発明の効果】
本発明は、以上説明したような形態で実施され、以下に記載されるような効果を奏する。
【００２５】
換気ファンの吊設方法を変えることのできる複数種類の鍔状の吊下げ用アタッチメントを用意して、このアタッチメントを電動ケーシングとサイレンサーとの分割面で交換可能に固定できるようにしたので、電動ケースの取付金具との取り合い部を手間と時間かけて改造する必要がなくなり、既設の換気ファンの吊下げ用アタッチメントを交換するだけで簡単に吊り下げ方法を変えて転用することができる。
【００２６】
従って、転用時の作業者の負担も軽減され、短時間で換気ファンの転用が達成され、経済的に有利である。
【図面の簡単な説明】
【図１】本発明のトンネル内用換気ファンの実施の形態を一部分解して側面方向から示す説明図。
【図２】図１のトンネル内用換気ファンて使用されている吊設用のアタッチメントを示すもので、（ａ）は正面図、（ｂ）は側面図。
【図３】図１のトンネル内用換気ファンて使用される別の吊設用のアタッチメントを示すもので、（ａ）は正面図、（ｂ）は側面図。
【図４】図３の吊設用のアタッチメントを使用したトンネル内用換気ファンの正面図。
【図５】従来の一般的な取付け方法による例を示す正面図。
【図６】従来の特殊な取付け方法による例の作動過程を示す正面図。
【符号の説明】
１  電動ケーシング，２  サイレンサー，１０  アタッチメント，１５  アタッチメント，２０  固定用ボルト，
【図１】
0004051662.tif 000002
【図２】
0004051662.tif 000003
【図３】
0004051662.tif 000004
【図４】
0004051662.tif 000005
【図５】
0004051662.tif 000006
【図６】
0004051662.tif 000007